(57)【要約】【課題】従来の後付けロック方式のようにロック部材を後付けして外観的な見栄えを損なうことなく、しかもピッキング，あるいは電動ドリルなどの工具使用による不正な盗み行為にも十分対抗できる防犯性の高い自動販売機の扉ロック装置を提供する。【解決手段】外扉２に上下スライド式のロック板１３、ロック板に連結した扉ロックレバー１２，およびロック板をロック位置に鎖錠するシリンダー錠１１を装備し、前記ロック板を本体キャビネットに設けた掛け金１４に係合した上で、シリンダー錠をキー７により施錠して外扉を閉位置にロックする自動販売機の扉ロック装置において、外扉の扉板に把手を兼ねた手先の挿入可能な窓穴８を開口し、かつ該窓穴を包囲してその背後に周囲を隔壁９で仕切ったポケット状の凹所１０を形成した上で、該凹所内部の隔壁側面にシリンダー錠，扉ロックレバーの操作端を横向きに設置する。【選択図】        図１
2006185289.tif 000002
【特許請求の範囲】
【請求項１】
外扉に上下スライド式のロック板、および該ロック板に対応するキー操作式の錠機構を装備し、前記ロック板を本体キャビネットに設けた掛け金に係合した上で、前記錠機構を施錠して外扉を閉位置にロックする自動販売機の扉ロック装置において、
外扉の扉板正面の一角に手先の挿入可能な窓穴を開口し、かつ該窓穴を包囲してその背後に周囲を隔壁で仕切ったポケット状の凹所を形成した上で、該凹所内部の隔壁側面に前記錠機構を横向きに設置したことを特徴とする自動販売機の扉ロック装置。
【請求項２】
請求項１記載の扉ロック装置において、外扉の扉板に開口した窓穴が扉の把手を兼ね、該窓穴の背後には窓穴よりも大きな外形サイズになる箱形の隔壁を設けて凹所を形成した上で、前記箱型隔壁の側壁に錠機構としてのシリンダー錠，およびロック板に連結してシリンダー錠に連繋させた扉ロックレバーの操作端を横向きに配備したことを特徴とする自動販売機の扉ロック装置。
【発明の詳細な説明】
【技術分野】
【０００１】
本発明は、自動販売機の扉ロック装置に関する。
【背景技術】
【０００２】
自動販売機の扉ロック装置として、外扉に錠付きのハンドルロックを備え、該ハンドルロックに連動する上下スライド式のロック板を本体キャビネットの前面に設けた掛け金に係脱するようにした構成のものが知られている（例えば、特許文献１参照）。
次に、前記扉ロック装置を備えた従来の自動販売機を図２に示す。図２において、１は庫内に商品収納ラックなど収設した自動販売機の本体キャビネット、２は前面の外扉、３は商品見本を展示するディスプレイ室、４は商品取出口、５は販売操作部、６は外扉の正面一角に設けたハンドルロック（ポップアップ式ハンドルロック）である。
ここで、ハンドルロック６は、図３で示すようにハンドルベース６ａにハンドルレバー６ｂおよびシリンダー錠（錠機構）６ｃを組み付け、その後端側にはハンドルレバー６ｂの回動操作に連動して外扉の裏面側に設けた上下スライド式のロック板を昇降操作するスイングレバー（図示せず）を備えた構造で、図４で示すように外扉２の扉板正面に装着し、キー７を使ってシリンダー錠６ｃを施錠，解錠するようにし、ハンドルレバー６ｂを回してロック板と掛け金とを係脱するようにしている。なお、図３（ａ）はハンドルロックの施錠状態，図３（ｂ）はシリンダー錠６ｃの解錠後にハンドルレバー６ｃを釈放位置に回わした状態を表している。
【０００３】
また、図４（ａ），（ｂ），（ｃ）はそれぞれハンドルロック６の施錠状態，キー７をシリンダー錠６ｃに差し込んだ状態、解錠状態を表し、図示のように施錠状態ではハンドルレバー６ｂがハンドルベース５ａの窪みに嵌入してこの位置に鎖錠されている。
ここで、キー７を使ってシリンダー錠６ｃを解錠するとハンドルレバー６ｂが前方に突き出し、この状態でハンドルレバー６ｂを手動で回すことによりロック板と掛け金との係合が釈放されて外扉２が自由に開けるようになる。また、外扉２を閉じる場合には、扉を押し込むことによりロック板が自動的に掛け金に掛止され、この状態でシリンダー錠６ｃを施錠することにより扉ロックの状態となる。
ところで、前記した従来の扉ロック装置は、ハンドルロック６が外扉２の前面側に取り付けられていてそのまま外部に露呈している。このために、ピッキングによる解錠，あるいは電動ドリルなどの工具を使った手口で外部からシリンダー錠６ｃを破錠し、外扉２をこじ開けて機内の収金箱から現金を盗み出す不正行為に狙われ易く、このことが自動販売機の防犯面での弱点となっている。
【０００４】
そこで、このような不正行為を防ぐ防犯対策として、従来では外扉に補助錠を追加する，あるいはチェーンロックを掛けるなどの二重ロック方式のほかに、ハンドルロック６を隠すように外扉の前面にロック付きのハンドルカバーを後付けした防盗ロック方式（例えば、特許文献２参照）も知られている。
【特許文献１】特開平７−２００９３４号公報
【特許文献２】特開２００４−１６４００２号公報
【発明の開示】
【発明が解決しようとする課題】
【０００５】
前記のように自動販売機の本体にチェーンロックを掛ける，あるいはハンドルカバーを後付けする（特許文献２参照）方式では、防犯性が向上するものの、自動販売機の前面に後付けしたロック部材がそのまま剥き出しに露呈することから、自動販売機の外観的な見栄えが著しく損なわれる。
本発明は上記の点に鑑みなされたものであり、その目的は前記した従来の後付けロック方式のようにロック部材を後付けして自動販売機の外観的な見栄えを損なうことなく、しかもピッキング，あるいは電動ドリルなどの工具使用による不正な盗み行為にも十分対抗できるように改良した防犯性の高い自動販売機の扉ロック装置を提供することにある。
【課題を解決するための手段】
【０００６】
上記目的を達成するために、本発明によれば、外扉に上下スライド式のロック板、および該ロック板をロック位置に鎖錠するキー操作式の錠機構を装備し、前記ロック板を本体キャビネットに設けた掛け金に係合した上で、前記錠機構を施錠して外扉を閉位置にロックする自動販売機の扉ロック装置において、
外扉の扉板正面の一角に手先の挿入可能な窓穴を開口し、かつ該窓穴を包囲してその背後に周囲を隔壁で仕切ったポケット状の凹所を形成した上で、該凹所内部の隔壁側面に前記錠機構を横向きに設置するものとする（請求項１）。
また、前記構成の具体的な態様として、外扉の扉板に開口した前記窓穴は扉の把手を兼ねた形状とし、該窓穴の背後には窓穴よりも大きな外形サイズになる箱形の隔壁を固定して凹所を形成した上で、前記箱型隔壁の側壁に錠機構としてのシリンダー錠，およびロック板に連結してシリンダー錠に連繋させた扉ロックレバーの操作端を横向きに配備する（請求項２）。
【発明の効果】
【０００７】
上記の構成によれば、扉ロック装置の錠機構，扉ロックレバーの操作端は外扉に開口した窓穴の裏側に隠れて自動販売機の正面からは見えない。また、前記窓穴は外扉を開閉する際の把手を兼ねた形状とすることでデザイン的にも見栄えを損なうことはない。
しかも、扉ロック装置の錠機構，扉ロックレバーの操作端は窓穴の背後に画成した凹所の側壁に対して横向きに設置されていて窓穴の正面からは直接操作することができず、また窓穴の開口サイズは手先が入る程度で凹所の奥行き空間も狭いことから、ピッキングあるいは電動ドリルなどを使った手口で外部から錠機構を解錠，破錠しようとしても、窓穴に規制されてピッキング治具，電動ドリルの刃先はシリンダー錠の鍵穴に届かず、これにより高い防犯性が確保できる。
【発明を実施するための最良の形態】
【０００８】
以下、本発明の実施の形態を図１（ａ），（ｂ）に示す実施例に基づいて説明する。
図示実施例においては、外扉２の表面扉板に前方から手先が挿入可能なサイズの窓穴（丸穴）８を開口し、かつこの窓穴８の周域包囲して扉板の背後には窓穴よりも一回り大きなサイズの箱形構造になる隔壁９を固定して凹所１０を仕切り、この凹所内部に臨ませて前記隔壁９の側壁面には次記構成になる扉ロック装置の操作端が配備されている。
ここで、扉ロック装置は基本的に先記の特許文献１に開示されているロック機構と同様なロック方式であり、キー７を鍵穴に差し込んで施錠，解錠するシリンダー錠１１（図３のシリンダー錠６ｃに対応）と、該シリンダー錠１１とは別部品でシリンダー錠にインターロックさせた扉ロックレバー１２（図３のハンドルレバー６ｂに対応）と、扉ロックレバー１２と連結して外扉２の背面側に敷設した上下スライド式のロック板１３と、該ロック板１３の板面に開口したロック穴１３ａ（縦長な角穴）に対向して本体キャビネット１の前縁部に設けた掛け金１４とからなる。
【０００９】
また、前記のシリンダー錠１１はその操作端面（鍵穴）を前記凹所１０の内部に向けて箱形隔壁９の側壁（正面右側の壁面で、窓穴８の裏側に隠れて前方からは直接目視できない）に横向き姿勢で装着している。一方、扉ロックレバー１２はシリンダー錠１１の下側に配置してシリンダー錠の後端に設けた短小なスイングレバー１１ａに対峙させ、この位置で扉ロックレバー１２の先端操作端（手を掛ける摘まみ部）が前記隔壁９に形成した縦方向のスリットを通して凹所１０に向けて横向きに突き出し、またレバーの後端はロック板１３に溶接して連結されている。なお、１４ａは前記ロック板１３のロック穴１３ａに係合する掛け金１４のフック溝であり、該掛け金１４は先端部の上縁を斜めカットしてテーパー面を形成している。
次に、外扉２の開閉操作の手順について説明する。外扉２を閉じてシリンダー錠１１を施錠した状態では、図示のようにロック板１３のロック穴１３ａが掛け金１４のフック溝１４ａに嵌合し、またシリンダー錠１１の後端に設けたスイングレバー１１ａが扉ロックレバー１２の上に突き出して扉ロックレバー１１をロック位置に鎖錠しており、これで外扉２は開かないように閉位置にロックされる。
【００１０】
ここで、外扉２を開くには、先ず扉板の正面に開口している窓穴６を通して手に持ったキー７を凹所１０の中に差し入れた上で、シリンダー錠１１の鍵穴に差し込んで捻りながら解錠すると、その後端に設けたスイングレバー１１ａが上方に回転して扉ロックレバー１３の鎖錠を解除する。
次に、扉ロックレバー１３の操作端（摘まみ）に手を掛けて上方に押し上げると、これに連動してロック板１３が上昇移動し、ロック穴１３ａが掛け金１４のフック溝１４ａから抜けて掛け金との係合が外れる。この状態を保ったまま窓穴８の縁に手を掛けて扉を手前に引くことにより、ロック板１３が掛け金１４より前方に抜け出して外扉２が開く。なお、この状態になると、ロック板１３は自重で可動ストローク分だけ下降復帰する。
一方、外扉２を閉じる際には窓穴８に手を掛けて閉位置に押し込む。これにより、ロック板１３のロック穴１３ａの縁が掛け金１４の先端テーパー面にガイドされながらフック溝１４ａに落ち込んで自動的にロックが掛かる。続いてシリンダー錠１１の解錠時と同様にキー７を窓穴８より凹所１０内に差し入れてシリンダー錠１１を施錠すると、後端のスイングレバー１１ａが扉ロックレバー１３の上に突き出して鎖錠する。これにより、外扉２が閉位置ロックされる。
【００１１】
ところで、上記の構成では、扉ロック装置のインターフェースとなるシリンダー錠１１および扉ロックレバー１２の操作端は窓穴８の背後に隠れて前方に露呈せず、かつ窓穴８は外扉２の把手を兼ねた形状にデザインされているので外観的に見栄えがよくなる。
また、シリンダー錠１１，扉ロックレバー１２は凹所１０の内部の隔壁９に対して横向きに配置されているので、ピッキングあるいは電動ドリルなどを使った盗み手口で外部からシリンダー錠１１を解錠，破錠しようとしても、窓穴８に差し込んだピッキング治具，電動ドリルの刃先はシリンダー錠の鍵穴に届かず、これにより防犯性が向上する。
なお、図示実施例ではシリンダー錠１１とは別部品の扉ロックレバー１２を併設してロック板１３との間を連繋するようにしているが、ロック板１３を軽い力で押し上げ操作できれば、図示例の扉ロックレバー１２を省略してシリンダー錠１１の後端に設けたスイングレバー１１ａを直接ロック板１２の側面に開口した角穴に嵌入して両者間を直接連繋し、シリンダー錠１１に差し込んだキー７の解錠捻り操作でロック板１３を釈放位置に上昇移動させることができる。
【図面の簡単な説明】
【００１２】
【図１】本発明の実施例による扉ロック装置の構成図で、（ａ）は外扉の前方側から見た正面図、（ｂ）は側視断面図
【図２】本発明の実施対象となる従来の自動販売機の正面図
【図３】図２におけるハンドルロックの施錠，解錠状態を表す正面図
【図４】図３に示したハンドルロックの解錠操作の説明図で、（ａ）は鎖錠状態，（ｂ）はシリンダー錠にキーを差し込んだ状態，（ｃ）は解錠した状態を表す側面図
【符号の説明】
【００１３】
１    自動販売機の本体キャビネット
２    外扉
８    窓穴
９    隔壁
１０    凹所
１１    シリンダー錠
１２    扉ロックレバー
１３    ロック板
１４    掛け金
【図１】
2006185289.tif 000003
【図２】
2006185289.tif 000004
【図３】
2006185289.tif 000005
【図４】
2006185289.tif 000006